(57)【特許請求の範囲】
【請求項１】
底面視で矩形状を有し、側方に空気を吹き出すための空気吹出口（１４）が４辺のそれぞれに設けられ、４つのコーナカバー（４０）を含むケーシング（１１）と、
前記ケーシング（１１）内に配置された熱交換器（１２）と、を備えた室内機であって、
前記４つのコーナカバー（４０）は、
前記熱交換器（１２）に接続される冷媒配管（５４）用の配管スペース（Ｓ１）が設けられる角部に配置された第１コーナカバー（４１）と、
前記第１コーナカバー（４１）の対角に位置する第２コーナカバー（４２）と、
前記第１コーナカバー（４１）の隣りに位置する第３コーナカバー（４３）と、
前記第３コーナカバー（４３）の対角に位置する第４コーナカバー（４４）と、を含み、
前記第２コーナカバー（４１）における外側面の水平方向の長さは、前記第１コーナカバー（４１）における外側面の水平方向の長さと同じであり、
前記第３コーナカバー（４３）における外側面の水平方向の長さと前記第４コーナカバー（４４）における外側面の水平方向の長さは、同じであり、かつ前記第１コーナカバー（４１）における外側面の水平方向の長さよりも小さく、
４つの空気吹出口（１４）における水平方向の開口寸法（ＬＡ，ＬＢ，ＬＣ，ＬＤ）が同じである室内機。
【請求項２】
前記ケーシング（１１）の４辺の長さが同じであり、
前記第３コーナカバー（４３）を挟む位置にある２つの空気吹出口（１４Ａ，１４Ｂ）は、これらの空気吹出口（１４Ａ，１４Ｂ）が設けられている辺の中心よりも前記第３コーナカバー（４３）側に同じ寸法だけ偏った位置に設けられており、
前記第４コーナカバー（４４）を挟む位置にある２つの空気吹出口（１４Ｃ，１４Ｄ）は、これらの空気吹出口（１４Ｃ，１４Ｄ）が設けられている辺の中心よりも前記第４コーナカバー（４４）側に同じ寸法だけ偏った位置に設けられている、請求項１に記載の室内機。
【請求項３】
前記４つのコーナカバー（４０）のいずれのコーナカバー（４０）においても、当該コーナカバー（４０）を挟む位置にある２つの空気吹出口（１４，１４）は、当該コーナカバー（４０）から同じ距離の位置に設けられている、請求項１に記載の室内機。 
【発明の詳細な説明】
【技術分野】
【０００１】
本発明は、４方向に空気を吹き出し可能な天吊り型の室内機に関する。
【背景技術】
【０００２】
従来、天井から吊り下げて設置され、４方向に空気を吹き出し可能な室内機が知られている（例えば特許文献１）。この特許文献１に開示されている室内機は、ケーシングと、このケーシング内に配置された熱交換器と、送風機とを備える。ケーシングは、直方体形状（底面視で矩形状）を有し、ケーシングの各辺（各側壁）には、側方に空気を吹き出すための空気吹出口が設けられている。
【０００３】
特許文献１の室内機では、矩形状のケーシングにおける４つの角部のうちの一つには、熱交換器に接続される冷媒配管、ドレンポンプ、ドレン配管などが配置される配管スペースが設けられている。天井埋込型とは異なり、天吊り型の室内機では、そのほぼ全体が室内に露出するので、デザイン性の観点から冷媒配管、ドレン配管などをケーシング内に収容する必要がある。そのため、配管スペースを覆うコーナカバーは、他の３つのコーナカバーに比べて必然的に大きくなる。
【０００４】
このような室内機では、配管スペースを覆うコーナカバーを挟む２つの空気吹出口は、当該コーナカバーの制約を受けて他の空気吹出口よりも小さくなるので、４つの空気吹出口から吹き出される風量がばらつくという不具合が生じる。そして、風量の少ない空気吹出口から吹き出される気流の到達距離が小さくなる。このような室内機において、風量バランスを改善するためには、例えば開口寸法の大きな空気吹出口の一部を塞ぐための部材（シャッター）をその空気吹出口に別途配置するという対策が考えられる。
【０００５】
また、他の対策としては、特許文献１に記載されているように所定の位置に仕切板を設ける対策が考えられる。この特許文献１では、仕切板を配置して空気を導く空気誘導通路を設けることにより、４つの空気吹出口からの風量ばらつきを抑えている。
【先行技術文献】
【特許文献】
【０００６】
【特許文献１】特開平１０−１０３７０２号公報
【発明の概要】
【発明が解決しようとする課題】
【０００７】
しかしながら、上記のいずれの対策においても、シャッターや仕切板などの部材を別途配設する必要があるので部品点数が増加する。一方、別部材の追加をするのに代え、配管スペースを覆うコーナカバーの大きさにこれ以外の３つのコーナカバーの大きさを合わせて各空気吹出口の大きさを合わせようとすると、各空気吹出口の開口寸法が小さくなりすぎる。
【０００８】
本発明の目的は、４方向に空気を吹き出し可能な天吊り型の室内機において、部品点数の増加を抑え、空気吹出口の開口寸法が小さくなりすぎるのを抑え、かつ、４つの空気吹出口から吹き出される風量のばらつきを抑制することである。
【課題を解決するための手段】
【０００９】
本発明の室内機は、底面視で矩形状を有し、側方に空気を吹き出すための空気吹出口（１４）が４辺のそれぞれに設けられ、４つのコーナカバー（４０）を含むケーシング（１１）と、前記ケーシング（１１）内に配置された熱交換器と、を備える。前記４つのコーナカバー（４０）は、前記熱交換器（１２）に接続される冷媒配管（５４）用の配管スペース（Ｓ１）が設けられる角部に配置された第１コーナカバー（４１）と、前記第１コーナカバー（４１）の対角に位置する第２コーナカバー（４２）と、前記第１コーナカバー（４１）の隣りに位置する第３コーナカバー（４３）と、前記第３コーナカバー（４３）の対角に位置する第４コーナカバー（４４）と、を含む。前記第２コーナカバー（４１）における外側面の水平方向の長さは、前記第１コーナカバー（４１）における外側面の水平方向の長さと同じである。前記第３コーナカバー（４３）における外側面の水平方向の長さと前記第４コーナカバー（４４）における外側面の水平方向の長さは、同じであり、かつ前記第１コーナカバー（４１）における外側面の水平方向の長さよりも小さい。４つの空気吹出口（１４）における水平方向の開口寸法（ＬＡ，ＬＢ，ＬＣ，ＬＤ）は同じである。
【００１０】
この構成では、４つのコーナカバー（４０）のうち、一方の対角に位置する第１コーナカバー（４１）と第２コーナカバー（４２）では、これらの外側面における水平方向の長さが互いに同じであるとともに、他方の対角に位置する第３コーナカバー（４３）及び第４コーナカバー（４４）では、これらの外側面における水平方向の長さが、互いに同じであり、第１コーナカバー（４１）における外側面の水平方向の長さよりも小さいので、４つの空気吹出口（１４）における水平方向の開口寸法（ＬＡ，ＬＢ，ＬＣ，ＬＤ）が小さくなりすぎることなく、これらの開口寸法を同じ長さに合わせることができる。これにより、部品点数の増加を抑え、空気吹出口の開口寸法が小さくなりすぎるのを抑え、かつ、４つの空気吹出口から吹き出される風量のばらつきを抑制することができる。具体的には、次の通りである。
【００１１】
すなわち、この構成では、第１コーナカバー（４１）の対角に位置する第２コーナカバー（４２）を第１コーナカバー（４１）と同じ長さとなるように大きくする一方で、残り２つの互いに同じ長さの第３コーナカバー（４３）及び第４コーナカバー（４４）を、第２コーナカバー（４２）のように大きくせずに第１コーナカバー（４１）よりも小さいままとする。このように第３コーナカバー（４３）及び第４コーナカバー（４４）は、第１コーナカバー（４１）よりも小さいままであるので、各空気吹出口（１４）の開口寸法が小さくなりすぎるのを抑えることができ、しかも、従来のように別部材を設けなくても４つの空気吹出口（１４）を同じ開口寸法にすることができる。
【００１２】
前記室内機において、前記ケーシング（１１）の４辺の長さが同じであり、前記第３コーナカバー（４３）を挟む位置にある２つの空気吹出口（１４Ａ，１４Ｂ）は、これらの空気吹出口（１４Ａ，１４Ｂ）が設けられている辺の中心よりも前記第３コーナカバー（４３）側に同じ寸法だけ偏った位置に設けられており、前記第４コーナカバー（４４）を挟む位置にある２つの空気吹出口（１４Ｃ，１４Ｄ）は、これらの空気吹出口（１４Ｃ，１４Ｄ）が設けられている辺の中心よりも前記第４コーナカバー（４４）側に同じ寸法だけ偏った位置に設けられているのが好ましい。
【００１３】
この構成では、任意のコーナカバー（４０）とこのコーナカバー（４０）を挟む２つの空気吹出口（１４，１４）を斜め下方から見たときに、２つの空気吹出口（１４，１４）は、当該コーナカバー（４０）を中心にほぼ対称な位置に配置されることになるので、外観のバランスが優れている。
【００１４】
また、前記室内機において、前記４つのコーナカバー（４０）のいずれのコーナカバー（４０）においても、当該コーナカバー（４０）を挟む位置にある２つの空気吹出口（１４，１４）は、当該コーナカバー（４０）から同じ距離の位置に設けられていてもよい。
【００１５】
この構成では、任意のコーナカバー（４０）とこのコーナカバー（４０）を挟む２つの空気吹出口（１４，１４）を斜め下方から見たときに、２つの空気吹出口（１４，１４）は、当該コーナカバー（４０）を中心にほぼ対称な位置に配置されることになるので、外観のバランスが優れている。
【発明の効果】
【００１６】
本発明によれば、４方向に空気を吹き出し可能な天吊り型の室内機において、部品点数の増加を抑え、空気吹出口の開口寸法が小さくなりすぎるのを抑え、かつ、４つの空気吹出口から吹き出される風量のばらつきを抑制することができる。
【図面の簡単な説明】
【００１７】
【図１】本発明の一実施形態に係る室内機を示す斜視図である。
【図２】図１に示す室内機を示す断面図である。
【図３】図１に示す室内機を示す断面図である。
【図４】前記室内機の変形例を示す概略図である。
【発明を実施するための形態】
【００１８】
以下、本発明の一実施形態に係る室内機１０について図面を参照して詳細に説明する。図１及び図２に示すように、本実施形態に係る室内機１０は、天井面Ｔ（図２参照）に吊り下げられて設置される室内機である。室内機１０は、直方体形状のケーシング１１を備える。ケーシング１１の４辺（４つの側壁）には空気吹出口１４（１４Ａ〜１４Ｄ）が設けられている。ケーシング１１の内部には、各空気吹出口１４に対向するように環状に配置された熱交換器１２と、熱交換器１２の内側に配置された送風機１３とが収容されている。
【００１９】
図３に示すように、ケーシング１１は、底面視で矩形状を有する。特に、本実施形態では、ケーシング１１は、４辺の長さが同じであり、底面視で正方形の形状を有する。ケーシング１１は、吸込グリル１７を有する化粧板１６と、天板１９と、これらの間に位置する４つのコーナカバー４０と、隣り合うコーナカバー４０の間において水平方向に延びる化粧枠１５とを含む。吸込グリル１７と送風機１３との間には、フィルター１８が配置されている。
【００２０】
各空気吹出口１４は、ケーシング１１を構成する部材によって形状及び大きさが区画される開口部である。具体的に、本実施形態では、各空気吹出口１４における水平方向の開口寸法は、その両サイドに位置するコーナカバー４０により規定されている。また、各空気吹出口１４における上下方向の開口寸法は、化粧枠１５及び天板１９により規定されている。各空気吹出口１４は、その両サイドに位置するコーナカバー４０、化粧枠１５及び天板１９により区画される略矩形状の開口部である。各空気吹出口１４には、空気の吹き出し方向を調節する風向板（水平羽根）２５が設けられている。
【００２１】
化粧板１６は、その一端辺に設けられたヒンジ部２７において化粧枠１５に対して回動可能に取り付けられることにより、図１に示すように開状態にすることができる。また、化粧板１６は、ヒンジ部２７が設けられた一端辺の反対側の端辺に設けられたロック機構２８によって化粧枠１５に保持され、閉状態とされる。
【００２２】
熱交換器１２としては、例えば、互いに平行に配置された複数本の伝熱管に対して多数の板状フィンを直交する状態で取り付けたクロスフィンタイプを用いることができるが、これに限定されない。熱交換器１２は、冷房運転時には蒸発器として機能し、暖房運転時には凝縮器として機能する。熱交換器１２の下方には熱交換器１２において生じたドレン水を回収するドレンパン２４が設けられている（図２参照）。
【００２３】
送風機１３としては、例えば遠心送風機（ターボファン）、斜流送風機などを用いることができる。送風機１３は、円形のハブ２１と、中央部に空気導入開口を有する円形のシュラウド２２と、ハブ２１とシュラウド２２の間に保持された複数の羽根２３とを含む羽根車を備える。送風機１３のハブ２１には、ファンモータ２６の回転軸が接続されている。シュラウド２２の下側には、送風機１３へ室内空気を案内するためのベルマウス２０が設けられている。このベルマウス２０は、中央部にシュラウド２２の開口よりも僅かに小さい開口を有している。送風機１３の羽根車が回転すると、室内の空気は、化粧板１６の吸込グリル１７からケーシング１１内に吸い込まれ、熱交換器１２を通過した後、各空気吹出口１４から側方に吹き出される。
【００２４】
ケーシング１１内の４つの角部のうちの第１角部には、配管スペースＳ１が設けられている。この配管スペースＳ１は、送風機１３が設けられている空間に対して仕切板６１によって区画されている（図３参照）。配管スペースＳ１は、室内機１０の外部からの図略の冷媒配管を熱交換器１２に接続するための接続部と、その接続作業を行うための作業スペースとを含む。配管スペースＳ１には、冷媒配管５４、ドレンポンプ５１、ドレン配管５６、ケーシング１１を天井に吊り下げるための吊りボルト５５（図１参照）が取り付けられる吊り金具５２などが配置されている。熱交換器１２の両端部における管板２ａ，２ｂは、配管スペースＳ１の近傍に配置されている。
【００２５】
ケーシング１１内の他の３つの角部、すなわち第２角部、第３角部及び第４角部には、熱交換器１２が設けられている空間に対して断熱材５３によって区画されたスペースＳ２，Ｓ３，Ｓ４がそれぞれ形成されている。これらのスペースＳ２，Ｓ３，Ｓ４のそれぞれにも吊り金具５２が配置されている。
【００２６】
配管スペースＳ１に配置される冷媒配管５４、ドレン配管５６、吊り金具５２などの部材は、化粧枠１５に対して着脱自在な第１コーナカバー４１によって覆われている。配管スペースＳ１の対角に位置するスペースＳ２に配置される吊り金具５２などの部材は、第２コーナカバー４２によって覆われている。同様に、スペースＳ３に配置される吊り金具５２などの部材は、第３コーナカバー４３によって覆われており、スペースＳ４に配置される吊り金具５２などの部材は、第４コーナカバー４４によって覆われている。
【００２７】
第１コーナカバー４１の大きさは、配管スペースＳ１に配置された部材の一部又は全部を外側から覆うことができるサイズである。そして、本実施形態では、この第１コーナカバー４１の対角に位置する第２コーナカバー４２の大きさを、あえて第１コーナカバー４１と同じ大きさにすることにより、上述した従来の問題点が改善され、複数の空気吹出口１４から吹き出される風量のバランスが良好になる。
【００２８】
すなわち、本実施形態では、第１コーナカバー４１における外側面の水平方向の長さと第２コーナカバー４２における外側面の水平方向の長さが同じであり、第３コーナカバー４３における外側面の水平方向の長さと第４コーナカバー４４における外側面の水平方向の長さは、同じであり、対応するスペースのうち必要な領域を外側から覆うことができる最小限のサイズに設定されており、第１コーナカバー４１における外側面の水平方向の長さよりも小さい。そして、各空気吹出口１４における水平方向の両端部は、その空気吹出口１４の両サイドに位置する２つのコーナカバー４０によって区画されている。これにより、本実施形態では、従来のようにシャッターなどの別部材を設けなくても、４つの空気吹出口１４における水平方向の開口寸法（図３の長さＬＡ，ＬＢ，ＬＣ，ＬＤ）を同じ大きさとすることができる。
【００２９】
また、本実施形態では、第１コーナカバー４１における外側面の外形と第２コーナカバー４２における外側面の外形は、同じであるが、必ずしも同じである必要はなく、多少相違していてもよい。第３コーナカバー４３における外側面の外形と第４コーナカバー４４における外側面の外形は、同じであるが、必ずしも同じである必要はなく、多少相違していてもよい。
【００３０】
なお、本実施形態において、「同じ外形」、「同じ大きさ」とは、形や大きさが厳密に同一である場合だけでなく、成形加工において当業者に許容される公差、誤差などの差異を有する場合も含む。
【００３１】
以下、本実施形態についてさらに具体的に説明する。図１及び図３に示すように、各コーナカバー４０は、ケーシング１１における対応する角部の外側面を構成している。各コーナカバー４０を水平方向に平行な平面で切断したときの断面（図３に示す断面）において、各コーナカバー４０の外側面はＬ字形状を有する。すなわち、各コーナカバー４０の外側面は、角部において鉛直方向に延びる稜線部４００と、隣り合う一方のコーナカバー４０に向かって稜線部４００から水平方向に延びる第１側面４０１と、隣り合う他方のコーナカバー４０に向かって稜線部４００から水平方向に延びる第２側面４０２とを含む。各コーナカバー４０における外側面の水平方向の長さとは、第１側面４０１の水平方向の長さと、第２側面４０２の水平方向の長さとの合計値である。稜線部４００は、矩形状のケーシング１１において矩形の角に相当する部位である。第１側面４０１と第２側面４０２は、互いに直交している。
【００３２】
上述したように第３コーナカバー４３及び第４コーナカバー４４は、第１コーナカバー４１及び第２コーナカバー４２よりも小さい。コーナカバー４０同士の大きさは、第１側面４０１における水平方向の長さと第２側面４０２における水平方向の長さの合計値で比較することができる。例えば、第３コーナカバー４３の大きさとは、長さＬ３１と長さＬ３２との合計値であり、第１コーナカバー４１の大きさとは、長さＬ１１と長さＬ１２との合計値である。ただし、後述するように本実施形態では、各コーナカバー４０は、第１側面４０１の長さと第２側面４０２の長さとが同じであるので、この場合には、コーナカバー４０同士の大きさは、第１側面４０１の長さ及び第２側面４０２の長さのいずれか一方で比較すればよい。
【００３３】
また、本実施形態では、稜線部４００は、滑らかに湾曲した形状（面取りされたような形状）を有する。したがって、例えば、第１コーナカバー４１における第１側面４０１の長さＬ１１は、図３の断面図において、第１側面４０１を延長した直線と第２側面４０２を延長した直線との交点から第４コーナカバー４４側の第１コーナカバー４１の端部までの距離をいう。上記した他の長さについても同様である。
【００３４】
図３の断面図において、４つのコーナカバー４０の外側面は、中心Ｃを通る鉛直方向の直線のまわりに１８０度回転移動させたときに移動前と同じ長さとなるような回転対称の形状を有している。具体的に、第１コーナカバー４１における第１側面４０１の水平方向の長さＬ１１と、第２コーナカバー４２における第１側面４０１の水平方向の長さＬ２１は同じであり、第１コーナカバー４１における第２側面４０２の水平方向の長さＬ１２と、第２コーナカバー４２における第２側面４０２の水平方向の長さＬ２２は同じである。また、第３コーナカバー４３における第１側面４０１の水平方向の長さＬ３１と、第４コーナカバー４４における第１側面４０１の水平方向の長さＬ４１は同じであり、第３コーナカバー４３における第２側面４０２の水平方向の長さＬ３２と、第４コーナカバー４４における第２側面４０２の水平方向の長さＬ４２は同じである。言い換えると、第１コーナカバー４１の外側面と第２コーナカバー４２の外側面は、互いに平行な部分（互いに平行な側面）の水平方向の長さが同じであり、第３コーナカバー４３の外側面と第４コーナカバー４３の外側面は、互いに平行な部分（互いに平行な側面）の水平方向の長さが同じである。
【００３５】
各コーナカバー４０において、第１側面４０１における水平方向の長さと第２側面４０２における水平方向の長さとは、異なっていてもよいが、本実施形態では、互いに同じ長さである。このように各コーナカバー４０における第１側面４０１の長さと第２側面４０２の長さとが同じ長さであることにより、４つの空気吹出口１４の配置バランスが良好になる。具体的には次の通りである。
【００３６】
第３コーナカバー４３を挟む位置にある２つの空気吹出口１４Ａ，１４Ｂは、これらの空気吹出口１４Ａ，１４Ｂが設けられている辺の中心（直線Ｃ１，Ｃ２が通る位置）よりも第３コーナカバー４３側に同じ寸法だけ偏った位置に設けられている。また、第４コーナカバー４４を挟む位置にある２つの空気吹出口１４Ｃ，１４Ｄは、これらの空気吹出口１４Ｃ，１４Ｄが設けられている辺の中心（直線Ｃ１，Ｃ２が通る位置）よりも第４コーナカバー４４側に同じ寸法だけ偏った位置に設けられている。
【００３７】
また、本実施形態において、空気吹出口１４の位置をコーナカバー４０を基準にして規定すると次のようになる。すなわち、４つのコーナカバー４０のいずれのコーナカバー４０においても、当該コーナカバー４０を挟む位置にある２つの空気吹出口１４，１４は、当該コーナカバー４０から同じ距離の位置に設けられている。具体的に、例えば第１コーナカバー４１を挟む位置にある２つの空気吹出口１４Ａ，１４Ｄは、第１コーナカバー４１の稜線部４００から同じ距離の位置に設けられている。より具体的に、これらの空気吹出口１４Ａ，１４Ｄは、第１コーナカバー４１における第１側面４０１を延長した直線と第２側面４０２を延長した直線との交点から同じ距離の位置に設けられている。言い換えると、長さＬ１１と長さＬ１２が同じであり、長さＬＡと長さＬＤが同じである。
【００３８】
したがって、任意のコーナカバー４０とこのコーナカバー４０を挟む２つの空気吹出口１４，１４を斜め下方から見たときに、２つの空気吹出口１４，１４は、当該コーナカバー４０を中心にほぼ対称な位置に配置されることとなるので、外観のバランスが優れている。
【００３９】
以上説明したように、本実施形態では、４つのコーナカバー４０のうち、一方の対角に位置する第１コーナカバー４１と第２コーナカバー４２では、これらの外側面における水平方向の長さが互いに同じであるとともに、他方の対角に位置する第３コーナカバー４３及び第４コーナカバー４４では、これらの外側面における水平方向の長さが、互いに同じであり、第１コーナカバー（４１）における外側面の水平方向の長さよりも小さいので、４つの空気吹出口１４における水平方向の開口寸法ＬＡ，ＬＢ，ＬＣ，ＬＤが小さくなりすぎることなく、これらの開口寸法を同じ長さに合わせることができる。これにより、部品点数の増加を抑え、空気吹出口の開口寸法が小さくなりすぎるのを抑え、かつ、４つの空気吹出口から吹き出される風量のばらつきを抑制することができる。
【００４０】
なお、本発明は、前記実施形態に限られるものではなく、その趣旨を逸脱しない範囲で種々変更、改良等が可能である。
【００４１】
前記実施形態では、ケーシング１１が底面視で正方形である場合を例示したが、これに限定されず、隣り合う辺の長さが異なる長方形であってもよい。
【００４２】
また、前記実施形態では、各コーナカバー４０において、第１側面４０１の長さと第２側面４０２の長さが同じである場合を例示したが、これに限定されない。例えば図４に示す変形例のように、第１側面４０１の長さと第２側面４０２の長さが異なっていてもよい。ただし、この変形例においても、第３コーナカバー４３及び第４コーナカバー４４は、第１コーナカバー４１及び第２コーナカバー４２よりも小さい。しかも、４つのコーナカバー４０の外側面は、図４において、中心Ｃを通る鉛直方向の直線のまわりに１８０度回転移動させたときに移動前と同じ位置に配置されるような回転対称の形状を有し、かつ、４つの空気吹出口１４Ａ，１４Ｂ，１４Ｃ，１４Ｄにおける水平方向の開口寸法（ＬＡ，ＬＢ，ＬＣ，ＬＤ）は、同じである。この変形例では、空気吹出口１４Ａは、これが設けられている辺の中心（直線Ｃ１が通る位置）よりも第３コーナカバー４３側に偏った位置に設けられており、空気吹出口１４Ｃは、これが設けられている辺の中心（直線Ｃ１が通る位置）よりも第４コーナカバー４４側に同じ寸法だけ偏った位置に設けられている。一方、空気吹出口１４Ｂ，１４Ｄにおける水平方向の中心は、これらが設けられている辺の中心（直線Ｃ２が通る位置）と一致している。なお、図４では、熱交換器１２などの一部の部材の図示を省略している。
【符号の説明】
【００４３】
１０  室内機
１１  ケーシング
１２  熱交換器
１３  送風機
１４  空気吹出口
１５  化粧枠
１６  化粧板
１７  吸込グリル
１９  天板
４０  コーナカバー
４１  第１コーナカバー
４２  第２コーナカバー
４３  第３コーナカバー
４４  第４コーナカバー
５１  ドレンポンプ
５４  冷媒配管
５６  ドレン配管
Ｓ１  配管スペース
ＬＡ，ＬＢ，ＬＣ，ＬＤ  空気吹出口における水平方向の開口寸法
【図１】
0005267690.tif 000002
【図２】
0005267690.tif 000003
【図３】
0005267690.tif 000004
【図４】
0005267690.tif 000005